(57)【要約】【解決手段】  一実施例によれば、電気コネクタは、複数の電気接点を支持するハウジングを有する。それぞれの電気接点は、結合終端および対向する実装終端、さらには、実装終端に配置された複数の実装端子を画定する。各接点の実装端子は、長手方向に沿って延びる少なくとも１列に配列され、それはそれぞれの列が横方向に沿って離間して配置されるようなものであり、さらに、隣接する接点の実装端子は、長手方向に偏倚される。【選択図】図１Ｂ
2013509690.tif 000002
【特許請求の範囲】
【請求項１】
以下を有する電気コネクタ：
結合インターフェースおよび対向する実装インターフェースを画定するコネクタハウジングであって；
コネクタハウジングによって支持される第１の電気接点、およびハウジングによって支持される第２の電気接点であって、それぞれの第１および第２の電気接点は、結合終端および対向する複数の実装端子を画定し、
（ｉ）それぞれの第１および第２の電気接点の実装端子は、実装端子が、第１および第２の隣接する列間に横方向に配置されないように、それぞれ横方向に隣接する第１および第２の長手方向に細長い列に配列され、（ｉｉ）第１の電気接点の第２の列は、実装端子が、第１の電気接点の第２の列と第２の電気接点の第１の列との間で横方向に配置されないように、第２の電気接点の第１の列に隣接して横方向に配置され、そして、（ｉｉｉ）第１の列の選択した１つの少なくとも１つの第１の実装端子は、すべての第２の列の少なくとも１つの実装端子に関して長手方向に偏倚される。
【請求項２】
それぞれの第１および第２の電気接点は、第１および第２の横方向に間隔をおいて配置された側壁を有し、さらに、実装端子は、第１の側壁から延びる第１の複数の実装端子、および第２の側壁から延びる第２の複数の実装端子を有する請求項１記載の電気コネクタ。
【請求項３】
第１の列の少なくとも選択した１つの第１の実装端子は、第２の列の少なくとも選択した１つの１対の実装端子間で長手方向に配置される請求項１記載の電気コネクタ。
【請求項４】
第１の列の選択した１つ、および第２の列の選択した１つは、第１の電気接点である請求項３記載の電気コネクタ。
【請求項５】
第１の列の選択した１つ、および第２の列の選択した１つは、それぞれ、第２および第１の電気接点である請求項３記載の電気コネクタ。
【請求項６】
第１の実装端子は、その対の隣接する実装端子間でほぼ縦方向に中間に配置される請求項３記載の電気コネクタ。
【請求項７】
追加の実装端子は、その対の実装端子間で縦方向に配置されない請求項３記載の電気コネクタ。
【請求項８】
第１および第２の電気接点は、複数の電力接点を有する請求項１記載の電気コネクタ。
【請求項９】
第１の電気接点の第２の列は、第２の電気接点の第１の列よりも第１の電気接点の第１の列に接近して間隔をおいて配置される請求項１記載の電気コネクタ。
【請求項１０】
以下を有する電気コネクタ：
結合インターフェースおよび対向する実装インターフェースを画定するハウジングであって；
ハウジングによって支持される第１の電気接点、およびハウジングによって支持される第２の電気接点であって、それぞれの電気接点は、結合終端および対向する複数の実装端子を画定し、
（ｉ）それぞれの第１および第２の電気接点は、第１の電気接点の第２の側壁が、第２の電気接点の第１の側壁に隣接して配置されるように、相互から横方向に間隔をおいて配置される第１および第２の縦方向に細長い側壁を画定し、（ｉｉ）それぞれ第１および第２の電気接点のそれぞれの第１および第２の側壁は、それぞれ第１および第２の列に沿って延び、（ｉｉｉ）第１および第２の電気接点の実装端子は、それぞれに、第２の列ではなく、第１の列に配置され、（ｉｖ）第１の電気接点の実装端子は、第２の電気接点の実装端子に関して縦方向に交互に配置される。
【請求項１１】
第１の電気接点の実装端子の選択した１つは、第２の電気接点の１対の隣接する実装端子間で長手方向に中間に配置される請求項１０記載の電気コネクタ。
【請求項１２】
第１および第２の電気接点は電力接点を有する請求項１０記載の電気コネクタ。
【請求項１３】
実装端子は、第１および第２の電気接点の第１の列間で横方向に配置されない請求項１０記載の電気コネクタ。
【請求項１４】
電力接点の実装端子間のアーキングを減少する方法：
上記の方法は、以下のステップを有する：
複数のほぼ平行の列に配置された複数の実装端子を画定する電気コネクタを提供すること；
第１の列の実装端子が、隣接する列のすべての実装端子に関して縦方向に偏倚されるように、実装端子の選択されたものを除去すること。
【発明の詳細な説明】
【技術分野】
【０００１】
この発明は、偏倚実装端子を有する電気コネクタに関する。
【０００２】
（関連出願の引用）
この出願は、２００９年１１月２日に出願され、米国仮特許出願番号６１／２５７，１８０に対する優先権を要求するものであり、その開示は、引用によって、あたかもその全体においてここに記述されているかのようにここに組込まれる。
【背景技術】
【０００３】
データ信号および／または、交流（ＡＣ）電力および／または直流（ＤＣ）電力のような電力を伝送するために使用される電気コネクタは、電気絶縁ハウジングに実装された複数の電力接点、および複数の信号接点を有する。代表的な適用において、コネクタは、印刷回路基板のような基盤上に実装されるように構成され、かつ、例えば、電力ケーブルまたは補完的な電気コネクタである補完的な電気部品と結合するように構成されている。具体的には、ハウジング内のそれぞれの接点は、それぞれ補完的な電気部品の対向するレセプタクルおよび／またはヘッダ接点と結合する１つまたはそれ以上のヘッダおよび／またはレセプタクル接点を有する。
【０００４】
代表的な接点は、印刷回路基板のような基盤に対して電気接点を接続するための底部部分から延びる複数の端子またはピンを有する。電力接点の場合には、端子を通して移動する高電圧レベルが、端子を交差するアーク、または、ここに全体に引用によって組み込まれるＵＬ仕様７４６Aに記述されているようなリークまたはクリープを生じ得る。したがって、知られているのは、その他の一定条件、例えば、基盤材料および端子の数の下では、端子を相互から遠ざけて離間配置することは、アークの実例を減少することができることである。しかしながら、端子の数を維持している間に、端子をさらに離間配置することは、コネクタの全体のフットプリントに加えて、それによって、回路基板上の価値あるスペースを占領してしまう。
【０００５】
信号接点の場合には、接点間のクロストークは、例えば、端子が一緒に接近し過ぎて離間配置されている場合には、信号伝送を損なう。しかしながら、再び、実装端子をさらに離間配置することは、回路基板上のコネクタフットプリントの増加を生じる。
【発明の概要】
【０００６】
したがって、望ましいのは、コネクタが実装される基盤上にコネクタのフットプリントを増加することなしに、改善された電気特性を有する電気接点を提供することである。
【０００７】
一実施例にしたがって、電気コネクタは、結合インターフェースおよび対向する実装インターフェースを画定するコネクタハウジングを有する。電気コネクタは、さらにコネクタハウジングによって支持される第1電気接点およびハウジングによって支持される第２電気接点を有し、それぞれの第１および第２電気端子は、結合終端および対向する複数の実装端子を有する。それぞれの第１および第２電気接点の実装端子は、横方向に隣接するそれぞれの第１および第２の長手方向に細長い列に配置されており、それは実装端子が、第１および第２の隣接する列の間に横方向に配置されないようなものである。第１電気接点の第２列は、実装端子が第１電気接点の列と第２電気接点の列との間に横方向に配置されるように、第２電気接点の第１列に横方向に隣接して配置される。少なくとも第１列の選択された列の第１電気接点は、第２列の少なくとも１つのすべての実装端子に関して長手方向に偏倚している。
【図面の簡単な説明】
【０００８】
【図１Ａ】一実施例にしたがって構成される電気ヘッダコネクタの正面斜視図である。
【図１Ｂ】図１Ａに例証された電気コネクタの底面斜視図である。
【図２Ａ】図１Ａ、１Ｂに例証された電気コネクタの電力接点のうちの１つの斜視図である。
【図２Ｂ】図２Ａに例証された電力接点の側面図である。
【図３Ａ】図１Ａ、１Ｂに例証されたコネクタの接点が実装されるように構成される印刷回路基板のフットプリントの概略平面図である。
【図３Ｂ】図１Ａ、１Ｂに例証されたコネクタの電力端子フットプリントの概略平面図である。
【図４Ａ】図１Ａ、１Ｂに例証された電気ヘッダコネクタと結合するように構成される電気レセプタクルコネクタの正面斜視図である。
【図４Ｂ】図４Ａに例証された電気レセプタクルコネクタの底部斜視図である。
【図５Ａ】図４Ａ、４Ｂに例証された電気レセプタクルコネクタの電力接点の斜視図である。
【図５Ｂ】図５Ａに例証された電力接点の側面図である。
【図６】図４Ａ、４Ｂに例証されたコネクタの電気接点が実装されるように構成される印刷配線基板のフットプリントの概略平面図である。
【図７Ａ】代りの実施例にしたがって構成された電気ヘッダコネクタの正面斜視図である。
【図７Ｂ】図７Ａに例証された電気ヘッダコネクタの底面斜視図である。
【図８】図８Ａ、８Ｂに例証されたコネクタの電気接点が実装されるように構成される印刷配線基板のフットプリンタの概略平面図である。
【図９Ａ】代りの実施例にしたがって構成されたケーブルヘッダコネクタの斜視図である。
【図９Ｂ】図９Ａに例証されたケーブルヘッダコネクタの側面図である。
【図１０Ａ】一実施例にしたがって構成されたケーブルレセプタクルコネクタの斜視図である。
【図１０Ｂ】図１０Aに例証されたケーブルレセプタクルコネクタの側面図である。
【図１１Ａ】図９A、９Bに例証されたケーブルヘッダコネクタと結合するように構成された電気レセプタクルコネクタの正面斜視図である。
【図１１Ｂ】図１１Aに例証された電気レセプタクルコネクタの底面斜視図である。
【図１２】図１１A、１１Bに例証されたケーブルレセプタクルコネクタの電気接点が実装されるように構成される基盤に構成された印刷回路基板のフットプリントの概略平面図である。
【図１３Ａ】他の代りの実施例にしたがって構成された電気ヘッダコネクタの斜視図である。
【図１３Ｂ】１３Aに例証されたコネクタの正面図である。
【図１３Ｃ】電気コネクタの電気接点が実装されるように構成される基盤に関する図１３Aに例証された電気コネクタのフットプリントを示す概略底面図である。
【図１３Ｄ】図１６Aに例証されたコネクタの電気接点のうちの１つの斜視図である。
【図１４Ａ】一実施例にしたがって図１３Aに例証されたコネクタの実装端子によって画定されたフットプリントの概略図である。
【図１４Ｂ】他の実施例にしたがって図１３Aに例証されたコネクタの実装端子によって画定されたフットプリントの概略図である。
【発明を実施するための形態】
【０００９】
図１Ａ−２Ｂを参照して、電気コネクタ２０は、絶縁性の誘電性コネクタハウジング２２、およびコネクタハウジング２２によって支持される、信号接点２４および電力接点２６を有する複数の電気接点２１を有している。交流（ＡＣ）または直流（ＤＣ）を使用して、電力接点２６が送電用に電気接続性を提供している間に、信号接点２４は、データ伝送信号用の電気接続性を提供する。一実施例にしたがって、電力接点２６は、４００Ｖ  ＡＣ  および  ４８０Ｖ  ＡＣを含んでその間のような、任意の所望の交流電圧で、そしてほぼ７Ａのような任意の所望の電流で電力を伝送する。信号接点２４は、同一に、またはほぼ同一に構成することができ、さらには、電力接点２６は、同一に、またはほぼ同一に構成することができる。
【００１０】
ある用語は、次の記述の中で、便宜のためのみに使用することができ、任意の方法で限定するように見なされるべきでない。例えば、コネクタハウジング２２は、形において一般的に長方形で、長手方向「Ｌ」および横方向「Ａ」に沿って水平に、さらには横断方向「Ｔ」に沿って垂直に、延びることができるように例証される。ハウジングは、長手方向Ｌに細長い。別段の定めがない限りここでは、電気コネクタ２０の直交する方向成分について記述するために使用されるような、用語「横方向の」、「長手方向の」、および「横断方向の」は、同様に、電気コネクタ２０の残余の方向成分を記述するために使用される。用語「頂部」、「底部」、「左」、「右」、「上方」、「下方」は、その参照がなされる図における方向を示す。同様に、用語「内部に」「外部に」、「上方に」、および「下方に」は、それぞれ、参照された対象の幾何学的中心に向かう、および中心から離れる方向を示すことができる。用語は、具体的に上で説明された用語、それらの派生語、および同様の意味の語を包含する。
【００１１】
認識されるべきことは、水平面とそれに沿って延びるように、長手方向および横方向が水平面に沿って延びるように例証されている間に、横断方向が、垂直面に沿って延びるように例証されることであり、様々な方向を包含する平面は、例えば、電気部品の所望の方向性に依存して、使用の間に異なることができる。したがって、用語「垂直の」および「水平の」は、単に明瞭さと便宜のために例証されるような電気コネクタ２０について記述するために使用され、これらの方向性は、使用の間に変わることができるという認識である。
【００１２】
コネクタハウジング２２は、結合するインターフェース２９および対向実装インターフェース３７を画定する。結合インターフェース２９は、電気コネクタ２０と結合する、電気コネクタのような電気部品の補完的な結合インターフェースと係合するように構成される。例えば、コネクタハウジング２２は、補完的コネクタの対応する配列機構と係合するように構成された、いかなる適切な整列および／または保持機構２３をも有することができる。配列機構２３は、電気コネクタ２０が補完的コネクタに結合される場合に、ポストの形をしている補完的な配列機構を受けるように構成されるハウジング２２に形成された凹部として例証される。実装インターフェース３７は、図３に例証された印刷回路基板３３のような基盤上に実装されるように構成される。結合インターフェース２９が、実装インターフェース３７にほぼ垂直に方向づけられるので、電気コネクタ２０は、直角コネクタと呼ぶことができる。代りに、電気コネクタ２０は、それによって結合インターフェース２９が実装インターフェース３７にほぼ平行に方向づけられる、「垂直の」、または「中二階の」配置として構成することができる。
【００１３】
信号接点２４は、ピンとして構成することができ、それぞれ、一終端に結合終端３０を、さらには、この結合終端３０に対向する実装端子３２を画定する本体部分２８を有する。結合終端３０は、電気コネクタ２０と結合するべき補完的な電気部品の電気接点の補完的結合終端と結合するように構成される。
【００１４】
実装端子３２は、ハウジング２２から下方に延びて、印刷回路基板３３に接続するように構成される。一実施例においては、実装端子３２は、印刷回路基板３３を通して延びる、補完的なめっきスルーホール３５を介して挿入される。代りに、実装端子３２は、所望するように、印刷回路基板３３に表面実装することができる。実装端子３２は、さらに、所望するように、印刷回路基板３３にはんだ付け接合することができる。したがって、信号接点２４は、電気コネクタ２０に結合される補完的な電気コネクタと電気通信に印刷回路基板３３を配置することができる。信号接点２４は、印刷回路基板３３と補完的な電気コネクタとの間の信号データを伝送するように構成される。例証されるように、結合終端３０は、実装端子３２にほぼ直角な方向に延び、それは信号接点２６が、直角の電気接点と呼ぶことができるようなものである。代りに、信号接点２４は、結合終端３０が実装端子３２に平行な方向に延びることによって、「垂直の」、または「中二階の」配置として構成することができる。
【００１５】
同様に、電力接点２６は、それぞれ一端に結合終端３４、さらには他端に対向する実装端子３６を画定する。結合終端３４は、電気コネクタ２０と結合すべき電気コネクタの補完的な結合終端と結合するように構成される。実装端子３６は、印刷回路基板３３に接続するように構成される。一実施例においては、実装端子３６は、印刷回路基板３３のめっきスルーホール６３を介して挿入される。スルーホール６３は、図３Ｂに関して以下に記述されるフットプリント６８に関して記述されるように構成されたフットプリントを画定する実装位置６６を画定することができる。代りに、実装端子３６は、印刷回路基板３３に表面実装することができる。実装端子２６は、さらに、所望するように印刷回路基板３３にはんだ付けすることができる。したがって、電力接点２６は、電気コネクタ２０に結合する補完的な電気コネクタと電気通信に印刷回路基板３３を配置することができる。電力接点２６は、印刷回路基板３３と補完的な電気部品またはコネクタとの間の電力に対して構成される。例証されるように、結合終端３４は、電力接点２６が、直角の接点と呼ぶことができるように実装端３６に対してほぼ直角の方向に延びる。代りに、電力接点２６は、それによって結合終端３４が実装端３６に平行な方向に延びる、「垂直の」、または「中二階の」配置として構成することができる。
【００１６】
信号接点２４および電力接点２６のうちの結合終端３０および３４は、それぞれ、補完的な接点によって受けられるように構成されるので、それらは、「プラグ」または「ヘッダ」接点と呼ぶことができ、さらに、電気コネクタ２０は、「プラグ」または「ヘッダ」コネクタと呼ぶことができる。
【００１７】
図２Ａ、２Ｂに示されるように、それぞれの電力接点２６は、１対の対向する主側壁３８および４０を有する。数字４２によって一般的に識別された前部突起は、１対の対向する片持ちビーム４４を有し、各ビームは、内方に集中する近位の区分４６と、弓形の接点区分４８と、遠位の区分５０とを有する。対向した遠位の区分５０は、好ましくは相互に平行である。遠位の区分５０は、ビームが緩んだ状態であるときには、わずかに離間して位置することができるが、前部突起が補完的なレセプタクル接点内に挿入され、それによって、結合の間にビームのために過剰応力保護を提供しながら、ビームがたわむときに、柔軟であり、一緒にもたらすことができる。それぞれの片持ちビーム４４は、その上方端から下方端に垂直に連続的である一方、認識されるべきは、米国特許６，３１９，０７５号であって、その開示が引用によってあたかもここにその全体で記述されているかのように組込まれるものに記述されているように、ビーム４４は、下方区分から分離されている上方区分内に交互に分割することができることである。
【００１８】
側壁３８および４０は、さらにビーム４４から後方に延びる、第１および第２のほぼ平坦なパネル５２および５４を有する。各電力接点２６の実装端子３６は、パネル５２の端縁から下方に延びる第１の少なくとも１つの実装端子５６（例証されるような１対の端子５６）、および、パネル５４の端縁から下方に延びる第２の少なくとも１つの実装端子５８（例証されるような１対の端子５８）を有する。以下により詳細に記述されるように、選択した列の実装端子５６のうちの少なくとも選択した１つは、隣接する列のすべての実装端子５８に関して長手方向に偏倚する。したがって、隣接する列は、選択した実装端子と横方向に整列する実装端子を欠いている。実装端子５６および５８は、スルーホールか、ハンダ−基盤ピン（図示されるように）か、圧迫適合ピンか、表面実装尾部、または、印刷回路基板３３に電気的に接続するように構成された任意の適切な代りの構造を画定することができる。パネル５２および５４は、上方の弓形の橋架部品６０および６２によって接続される。空気流のために適応した中央のスペース６４は、パネル５２と５４との間に画定される。接点２６は、りん青銅合金、ベリリウム銅合金、または任意の適切な代替導電材料、のような適切な接点材料の帯材からの単一片として型押しされるか、またはそうでなければ成形される。
【００１９】
図３Ａは、複数の実装位置６６を有するように印刷回路基板３３を例証しており、その位置は、上述したように信号接点２４および電力接点２６の実装端子３２および３６を受けるように構成されためっきされたスルーホール６６および３５として提供することができる。実装端子は、所望するようなあらゆる幾何学的な断面形状をも画定することができる。
【００２０】
今度は図３Ｂを引用して、電力接点２６の実装端子３６は、電気コネクタ２０の底面図から得られたフットプリント６８を画定する。電力接点２６のどんな数も、所望するように提供することができるが、電気コネクタ２０は、３つの電力接点２６Ａ−２６Ｃを有するように、例証されている。さらに、フットプリント６８が電力接点２６に関して例証されている一方で、フットプリントは、同様に信号接点２４の実装端子３２によってフットプリントを画定することができることは認識されるべきである。電力接点２６の実装端子５６および５８は、複数の列に配列される。例えば、各電力接点２６の第1実装端子５６は、それぞれの接点の第１列１に配列され、さらに、各電力接点２６の第２実装端子５８は、それぞれの接点２６の第２列２に配列される。各電力接点２６の列１と列２とは、相互に隣接して横方向に配置され、さらに、相互にほぼ平行である方向に沿って延びる。電力接点２６は、さらに、１つの電力接点２６の第１の列１が、その隣接する電力接点２６の第２列２に隣接して横方向に配置されるように配置される。
【００２１】
隣接する列１および２の中心線間の間隔は、列ピッチＣＰと呼ぶことができる。与えられた電力接点２６の列１と２との間の列ピッチＣＰ１は、隣接する電力接点２６の列２と１との間の列ピッチＣＰ２未満であるように例証されている。例証された実施例においては、列ピッチＣＰ１は、例えば、およそ２．５ｍｍ、または特に２．５４ｍｍ以上のように、２〜３ｍｍのように、２．２５〜２．７５ｍｍのように、１〜４ｍｍである。列ピッチＣＰ２は、２〜５ｍｍのように、３〜４ｍｍのように、３．５〜４ｍｍのように、およそ３．８ｍｍ、または、特に、３．８１ｍｍ以上のように、１〜６ｍｍである。したがって、与えられた電力接点２６の列１および２は、横方向に間隔を置かれる、列ピッチＣＰ２が、図３Ｂに例証されるように、列ピッチＣＰ１より大きいように、隣接する電力接点２６の列よりも一緒により接近して離間される。しかしながら、列ピッチＣＰ１は、もし所望であれば、交互に、列ピッチＣＰ２とほぼ同一か、または、より大きいということができることは認識されるべきである。任意の所望の列ピッチも、所望するように使用することができることは、さらに認識されるべきである。
【００２２】
例証されたようなすべてに対して、各電力接点２６の第１および第２端子５６および５８の１つまたはそれ以上が、行１−４に配置された他の電力接点２６の端子５６および５８のようなそれぞれのものと整列される。第１端子５６の、第１、または上方端子５６’は、行１に配置され、第２端子５８の第１、または上方端子５８’は、行２に配置され、第１端子５６の第２、または下方端子５６”は、行３に配置され、さらに、第２端子５８の第２、または下方端子５８”は、行４に配置される。隣接する行の中心線間の間隔は、行ピッチＲＰと呼ぶことができる。例証されるように、列１に沿う実装端子５６’および５６”の行ピッチＲＰ１は、行ピッチＲＰの２倍である。行ピッチＲＰ１は、もし所望であればより大きいか、または行ピッチＲＰ２未満であることができるが、行ピッチＲＰ１は、実装端子５８’および５８”の行ピッチＲＰ２と等しいか、またはほぼ等しくなることができる。例証されるように、隣接する行１−４の間の行ピッチＲＰは、例えば、およそ２．５ｍｍ、または、特に２．５４ｍｍ以上のように、２〜３ｍｍのように、２．２５〜２．７５ｍｍのように、１〜４ｍｍである。したがって、行１−４は、与えられた接点２６の列１および２と同じ距離を離間して置くことができる。
【００２３】
さらに、与えられた電力接点２６の実装端子５６および５８は、相互に関して長手方向に互い違いに配列され、したがって、それぞれの列に沿う実装端子５６および５８の少なくとも１つが、隣接する列の１対の他の端子５６と５８との間で長手方向に配置される。他の方法で説明すれば、与えられた電力接点２６の１列の端子によって画定された行１および３は、電力接点２６の他の列の端子によって画定された行２および４と整列されない。例えば、電力接点２６Ａの底部実装端子５６”のような選択した実装端子は、隣接する端子５８’と５８”との間に長手方向に配置される。さらに、端子は、列２に沿う実装端子５８’と５８”との間には配置されないことは、認識されるべきである。他の方法で説明すれば、列２は、底部実装端子５６”との横方向の整列にある実装端子を欠いている。底部端子５６”は、隣接する端子５８’と５８”との間の中ほどに長手方向に配置することができ、したがって、実装端子５６”、および実装端子５８’および５８”は、二等辺三角形７０の頂点を画定する。三角形７０の頂点によって画定される角度は、対応する行ピッチおよび列ピッチＣＰ１に依存することができる。１列の端子が、長手方向に関して隣接する列の端子間の中ほどに配置されるように例証されている間に、端子は、所望するような任意の距離だけ偏倚することができることが認識されるべきである。
【００２４】
図１−３Ｂは、コネクタハウジング２２が第１電気接点２６Ａおよび第２電気接点２６Ｂを支持することを例証する。第１および第２電気接点２６Ａおよび２６Ｂのそれぞれは、それぞれの結合終端３４、および対向する複数実装端子５６および５８を画定する。第１および第２電気接点２６Ａおよび２６Ｂのそれぞれの実装端子５６および５８は、それぞれの第１および第２の長手方向に細長い、横方向に隣接する列１および２に間で配列され、したがって、実装端子は、第１および第２の隣接する列１および２の間に横方向に配置されない。第１電気接点２６Ａの第２列２は、実装端子が第１電気接点２６Ａの第２列２と第２電気接点２６Ｂの第１列１との間で横方向に配置されないように、第２電気接点２６Ｂの第１列１に隣接して、横方向に配置される。第１列１（例えば、第１電気接点２６Ａの列１）の選択した１つの少なくとも１つの第１実装端子（実装端子５６”のような）が、第２列２（例えば、第１電気接点２６Ｂの列２）のうちの１つの少なくとも第２実装端子（実装端子５８のような）に関して長手方向に偏倚する。さらに、第１電気接点２６Ａの第１列１の第１実装端子５６”は、第１電気接点２６Ｂの第２列２のすべての実装端子５８に関して長手方向に偏倚される。第１列１の選択した１つが、第１電気接点２６Ａの列１、または第２電気接点２６Ｂの第１列１であり得ることは認識されるべきであり、さらに、第２列２の選択した１つは、第１電気接点２６Ａの列２または第２電気接点２６Ｂの第２列２になり得る。
【００２５】
図３Ｂに対する継続的な言及で、与えられた電力接点２６のそれぞれの列１および２は、直ちに隣接する電力接点２６の直ちに隣接する列に沿ってそれぞれ配置される、隣接する端子５８または５６の間に長手方向に配置される端子５６または５８を有する。例証された実施例にしたがって、直ちに隣接する電力接点２６は、電力接点が直ちに隣接する電力接点間に配置されないように配列される。例えば、電力接点２６Ａの列２の上方端子５８’は、直ちに隣接する接点２６Ｂの列１の実装端子５６’と５６”との間に長手方向に配置される。端子が接点２６Ｂの列１に沿って行１と３との間に配置されないことが認識されるべきである。電力接点２６Ａの上側端子部電極’５８は、直ちに隣接する接点２６Ｂの隣接する端子５６’と５６”との間で中ほどに長手方向に配置されるように例証され、それは、実装端子５８’、５６’および５６”が，二等辺三角形７２を画定するようなものである。三角形７２の頂点によって画定された角度は、端子の行ピッチＲＰ、およびさらに列ピッチＣＰ２に依存することができる。列ピッチＣＰ２が列ピッチＣＰ１より大きいので、三角形７２の底辺で画定された角度は、三角形７０の底辺で画定された角度より大きい。１列の端子が、隣接するコネクタの隣接する列の端子間で中ほどに長手方向に配置されるように例証されている一方で、端子は、所望するように任意の長手方向の距離だけ偏倚することができることが認識されるべきである。
【００２６】
したがって、与えられた電力接点２６の隣接する列１および２の実装端子５６および５８は、それらが長手方向に偏倚しなかった場合より（例えば、それらが横方向の整列であった場合より）、より大きな距離を離れて離間される。したがって、隣接する列に配置された選択した１対の実装端子が、隣接する列間の横方向距離より大きな距離を離間して置かれることは言うことができる。具体的には、従来のコネクタは、ほぼ、電気コネクタ２０に関して例証されるように構成されてきて、しかしながら、実装端子は、上述された方法で長手方向に偏倚されない。したがって、現在のコネクタ２０は、同様に構成されたコネクタに関してコネクタの実装終端のフットプリントを増加させずに、実装端子間の増加した間隔を提供する。他の方法で説明すれば、従来のコネクタは、コネクタの実装終端のフットプリントを増加させずに、隣接する端子の間の距離を増加させるように１列おきに沿う実装端子を偏倚することによって変更することができる。
【００２７】
さらに認識されるべきことは、同時に、作動中に実装端子５６および５８を交差するアークの発生を減少し、または防止する一方で、実装端子５６と５８との間の増加した間隔は、電力接点２６が従来の端子に関して増加した使用電圧（例えば４００Ｖまたはそれ以上）を伝送することを可能にすることである。電力接点２６は、さらに他の単一ビーム接点より大きな電流を伝送することができる。
【００２８】
電力接点２６Ａ−２６Ｃは、上述されたように偏倚された端子５６および５８の列を有するように例証されている一方で、認識されるべきことは、電力接点２６Ａ−２６Ｃは、各列１および２に４つの整列した端子を有するほぼ同一のコネクタから構成することができることであり、それは、第１および第２列の電気接点が長手方向に整列するようなものである。ある選択した実装端子は、図３Ｂに関して上述されるように実装端子を長手方向に偏倚したフットプリントに到るように除去するか、または撤去することができる。さらに認識されるべきことは、電力接点２６Ａ−２６Ｃは、所望するように端子５６および５８の任意の数をも有することができることであり、それは、各列における接点を有する先在する接点から選択された端子を除去することによって、特には、他の列の接点と整列する列のうちの１つから選択された接点を除去することによって、作り出すことができる。電力接点２６が、電力接点２６の間に配置された接地接点を欠いていることについては、さらに認識されるべきである。
【００２９】
米国特許７，１８２，６４２号であって、その開示は、参照によってあたかもその全体においてここに述べられるかのように、ここに組込まれるものに記述されるように、電流は、一般的に、端子３６に対して電力接点２６に沿う最小の抵抗のパスを、さらにその後印刷回路基板３３に続く。したがって、従来のコネクタにおいては、端子の増加した実装数は、一般に、より高いレベルの電流が接点を通じて流れることを可能にする。
【００３０】
不幸なことに、端子の増加した実装数は、端子間の間隔を減少させ、それは使用電圧を制限する。電力接点２６は、２重の側壁３８および４０で配置され、それによって、実装端子５６および５８を介して電流を平等に分割する。電力接点２６は、このように、従来の単一ビーム接点よりも、よりよい、またはより一定の電流分布を提供する。
【００３１】
したがって、電気コネクタ２０は、そうでなければコネクタのうちの実装端３６での全面的なフットプリントを増加することなしに、与えられた電力接点２６の隣接する端子３６間の、および／または２つの直ちに隣接する電力接点２６間の、間隔を増加するように構成される電力接点２６を有し、それによってアーク発生を回避する間に実装しかつ結合終端間の使用電圧を増加させる。さらに、接点２６は、従来の単一ビーム接点よりもより一定の電流分布を提供する。
【００３２】
与えられた列１または２の、５６または５８個の端子が、それぞれ、共通の電気接点（例えば、同一の電力接点２６）、または隣接する電気接点（電力接点２６のような）のいずれかの、隣接する列の端子の長手方向に中ほどに配置されるときに、端子間の間隔を最大限にすることができる。さらに、端子を通って伝送する電流レベルが、各列１および２に配置された端子の数を相応して調節することによって、調節することができることは認識されるべきである。端子５６および５８の任意の適切な数が、所望されるように電力接点２６Ａ−２６Ｃの列１および２に沿って配置することができる。
【００３３】
フットプリント６８およびその代りの実施例が、１つまたはそれ以上の隣接する交流接点２６の実装端子３６に関して例証され、かつ記述された一方で、認識されるべきことは、フットプリント６８は、任意のタイプの接点、例えば単一ビームＡＣ電力接点、信号接点２４、またはＤＣ電力接点の実装端子によって画定することができることである。様々な実施例が、電気ヘッダコネクタ２０と組合されて記述されてきたが、ここに記述された様々な構造および形状は、さらに、異なって構成されたヘッダコネクタに適用することができ、今、図４Ａ−６に関して記述されるとともにさらにレセプタクルコネクタに適用することができることが認識されるべきである。
【００３４】
図４Ａ−６に例証されるように、電気コネクタ１２０は、上述された電気コネクタ２０と結合するように構成される。電気コネクタ１２０は、絶縁性または誘電性コネクタハウジング１２２、および複数の電気接点１２１を有し、コネクタハウジング１２２によって支持される複数の信号接点１２４および電力接点１２６を有する。電力接点１２６が、電力伝送用の電気接続性を提供している間に、信号接点１２４は、データ伝送信号用の電気接続性を提供する。信号接点１２４は、同一に、またはほぼ同一に構成することができ、かつ、電力接点１２６は、同一に、またはほぼ同一に構成することができる。
【００３５】
信号接点１２４は、ピンのように構成することができ、それぞれ一端に結合終端を、さらにその結合終端１３０と対向する実装端子１３２を有する本体部分１２８を有する。その結合終端１３０は、電気コネクタ１２０と結合すべきである電気コネクタ２０の補完的な信号接点２４の結合終端３０と結合するように構成される。この点では、コネクタハウジング１２２は、補完的コネクタの対応する整列形状と結合するように構成された整列形状１２３を有することができる。整列形状１２３は、電気コネクタ２０の凹部２３内に挿入されるように構成されるポストを有するように例証される。
【００３６】
実装端子１３２は、図６に例証される印刷回路基板１３３のような基盤１３３に接続するように構成される。一実施例においては、実装端子１３２は、印刷回路基板１３３のめっきされたスルーホール１３５を通して挿入される。代りに、実装端子１３２は、印刷回路基板に表面実装することができる。実装端子１３２は、さらに、所望するように印刷回路基板１３３にはんだ付け接合することができる。したがって、電気コネクタ２０および１２０が結合するときに、信号接点１２４は、印刷回路基板１３３を補完的な電気コネクタ２０、およびしたがって印刷回路基板３３と電気通信において置くことができる。信号接点１２４は、このように印刷回路基板３３と１３３との間に信号データを伝送するように形成される。例証されるように、結合終端１３０は、実装端子１３２に直角な方向に延び、それは信号接点１２４が、直角の接点と呼ばれ得るようなものである。代りに、信号接点１２４は、それによって、結合終端１３０が、実装端子１３２に平行な方向に延びる「直角の」または「中二階の」配置のように構成することができる。
【００３７】
同様に、電力接点１２６は、それぞれ、一端での結合終端１３４、および対向する終端での実装端子１３６を画定する。結合終端１３４は、電気コネクタ１２０と結合するように電気コネクタ２０の補完的な電力接点２６の結合終端３４のような、補完的な結合終端と結合するように構成される。実装終端１３６は、印刷回路基板１３３に接続するように構成される。一実施例においては、実装終端１３６は、印刷回路基板１３３のそれぞれのめっきされたスルーホール１６３を介して挿入される。
【００３８】
スルーホール１６３は、図３Ｂに関して上述したフットプリント６８に関して記述されるように構成されたフットプリントを画定する実装位置１６６を画定することができる。代りに、実装端子１３６は、印刷回路基板に表面実装することができる。実装端子１３６は、さらに、望まれるような印刷回路基板１３３に接合することができる。したがって、電気コネクタ２０および１２０が結合するときに、電力接点１２６は、補完的な電気コネクタ２０と電気通信に、印刷回路基板１３３およびしたがって印刷回路基板３３を置くことができる。電力接点１２６は、このように印刷回路基板３３と１３３との間の信号データを伝送するように形成される。
【００３９】
例証されるように、結合終端１３４は、電力接点１２６が、直角の接点と呼ぶことができるように実装端子１３６に対して直角な方向に延びる。したがって、電気コネクタ１２０は、直角のコネクタと呼ぶことができる。代りに、電力接点１２６は、それによって、結合終端１３４が、実装端子１３６に平行な方向に延びる、「直角の」または「中二階の」配置のように構成することができる。さらに、接点１２４および１２６の結合終端１３０および１３４が、それぞれ、それらの補完的な接点を受けるように構成されるので、信号接点１２４および電力接点１２６は、「レセプタクル」接点と呼ぶことができ、さらに電気コネクタ１２０は、「レセプタクル」コネクタと呼ぶことができる。
【００４０】
図５Ａ−５Ｂに示されるように、レセプタクル電力接点１２６のそれぞれは、１対の対向する、好ましくは、平坦かつ平行な、側壁、主側壁１３８および１４０を有する。側壁１３８および１４０は、中間のプラグ受け間隔１６４を形成する、前方突出部分１４２に前方に延びる。前方部分１４２の側壁１３８と１４０との間の距離は、接点２６の中心面に向かって弾性的に反らされるビーム４４によって、プラグ接点２６の突起４２がプラグ接点受け空間１６４に受けることができるような状態である。反りは、ビーム４４に外方に向かう力を発生し、それによって、適切な接点垂直力を発生するために、受け空間１６４を形成する前方部分１４２の内表面に対して弓形の接点区分４８を押圧する。側壁１３８および１４０は、また、それぞれのパネル１５２および１５４を有する。側壁１３８および１４０は、一般的に弓形の橋渡し部品１６０および１６２によって一緒に連結される。好ましくは、レセプタクル接点１２６は、また、細長い  りん青銅合金、ベリリウム銅合金、または他の適切な導電材料の帯材からの単一片において型押しされるか、または他のやり方で成形される。レセプタクル接点１２６は、米国特許６，３１９，０７５号であって、その開示は引用によって組込まれ、あたかもその全体にここに記述されるように構成することができる。
【００４１】
各電力接点１２６の実装端子１３６は、パネル１５２の端縁から下方に延びる第１の少なくとも１つの実装端子１５６（例証されるような１対の端子１５６）およびパネル１５４の端縁から下方に延びる第２の少なくとも１つの実装端子１５８（例証されるような１対の実装端子１５８）を有する。実装端子１５６および１５８は、スルーホール、ハンダ−基盤ピン（図示されたような）、加圧適合ピンまたは表面実装尾部、または所望するような任意の代りに構成された端子を有する。実装端子１５６は、実装端子１５８に関して長手方向に偏倚され、さらに、したがって、図３Ｂに例証されたヘッダ接点２６によって画定されたフットプリント６８に関して上述されるようなフットプリントを画定することができる。図６は、複数の実装位置１６６を有するように印刷回路基板１３３を例証しており、それは、電力接点１２６の実装端子１５６および１５８を受けるように構成される一実施例におけるめっきされたスルーホールとしてそれが提供される。その端子は、正方形、または矩形の断面、または所望するような任意の適切な横断面形状を画定することができる。
【００４２】
様々な実施例が、電気ヘッダコネクタ２０および電気レセプタクルコネクタ１２０と組合せて記述されてきたが、ここに記述された様々な構造形状が、また、異なって構成されたヘッダコネクタに適用可能であり得ることは、認識されるべきである。追加の電気コネクタが、米国特許６，３１９，０７５号に記述され、代りに構成されたコネクタに加えてそのようなコネクタが、ここに記述されるような実装端子と関連する形状を組込むのに適切であることが認識されるべきである。
【００４３】
今度は図７Ａ−８を参照して、直角のヘッダコネクタ２２０は、ヘッダコネクタ２０に関して上述したように構成される。電気コネクタ２０の構造のように対応するコネクタ２２０の参照数字は、明瞭さの目的のために２００だけ増加する。したがって、ヘッダコネクタ２２０は、コネクタハウジング２２２、および複数の電気信号接点２２４および電力接点２２６を有する複数の電気接点２２１を有している。コネクタハウジング２２２は、コネクタ２２２に結合されるべきであるコネクタの結合構造を係合することができる裾広がりのラッチ耳の形で整列形状（alignment feature）２３２を有する。適切な結合構造の一例は、圧縮可能なラッチアーム４２３として図１０Ａに例証される。信号接点２２４は、ピンとして構成することができ、それぞれ、一端に結合終端２３０を、さらに結合終端に対向する実装端子２３２を有する本体部分２２８２を有する。電力接点２２６は、それぞれ、一端に結合終端２３４を、さらに結合終端２３４に対向する実装端子２３６を画定する。実装端子２３２および２３６は、それぞれの実装位置２６６であって、それらはめっきしたスルーホール２３５および２６３をそれぞれ有することができるもので、印刷回路基板２３３のような基盤に接続するように構成される。実装端子２３６は、第１の複数の実装端子２５６、および相互から長手方向に偏倚される第２の複数の実装端子２５８を画定し、さらに、図３Ｂに例証されたヘッダ接点２６によって画定されたフットプリント６８に関して上述されたようなフットプリントをこのように画定することができる。
【００４４】
今度は図９Ａ−９Ｂを参照して、電気コネクタ３２０は、明瞭さの目的ために３００だけ増加した電気コネクタ２０の同様の構造に対応する引用数字を有して例証される。電気コネクタ３２０は、コネクタ３２０に結合されるべきである補完的コネクタ上で結合構造を解放可能に係合することができる圧縮可能なラッチアームの形で整列／保持形状２３２を有するハウジング３２２を有するケーブルヘッダコネクタとして例証される。適切な結合構造の一例は、図７Ａに例証されたタイプのラッチ耳を有する。もちろん、そのラッチ耳は、レセプタクルコネクタ、例えば、図１１Ａに例証されたコネクタ５２０に組み入れることができる、すなわち、ヘッダコネクタ３２０と結合するように構成される。
【００４５】
コネクタハウジング３２２は、複数の信号接点３２４および電力接点３３６を有する複数の電気接点３２１を支持する。信号接点３２４および電力接点３２６は、水平方向に延び、それは、信号接点３２４の結合終端３３０が、その対向する実装端子にほぼ平行であり、さらに、その電力接点３２６の結合終端３３４は、対向する実装端子にほぼ平行である。コネクタハウジング３２２は、さらに、結合インターフェース３２９、および結合インターフェース３２９にほぼ平行に方向付けされる実装インターフェース３３７を画定する。したがって、接点信号接点３２４、電力接点３２６、および電気コネクタ３２０は、垂直の接点、または垂直のコネクタ３２０と呼ぶことができる。電力接点３２６は、例えば米国特許６，３１９，０７５号に記述された方法で、それらの実装終端で、電力ケーブル３２７に接続することができる。ケーブル３２７は、その他の終端で、任意の適切な電気部品に接続することができる。信号接点３２４および電力接点３２６の結合終端は、ヘッダコネクタ３２０と結合されるように構成される補完的レセプタクルコネクタの結合終端の内部に受けることができる。結合レセプタクルコネクタは、レセプタクルコネクタ１２０、または、例えば、電気コネクタ２０のフットプリント６８に関して上述したようなフットプリントを有する任意の代りに構成されたレセプタクルコネクタに関して上に記述されるように構成することができる。
【００４６】
今度は図１０Ａ−１０Ｂを参照して、レセプタクルコネクタ４２０は、４００だけ増加した電気コネクタ２０の同様の構造に対応する引用数字を有して例証される。コネクタ４２０は、複数の信号接点４２４および複数の電力接点４３６を有する複数の電気接点４２１を支持するコネクタハウジング４２２を有するケーブルコネクタとして例証される。コネクタハウジング４２２は、コネクタ４２０に結合すべきである補完的コネクタ上で結合構造を解放可能に係合することができる圧縮可能なラッチアームの形で整列／支持形状４２３を有する。適切な結合構造の一例は、図７Ａに例証されたタイプのラッチ耳を有する。もちろん、ラッチ耳は、ヘッダコネクタ３２０と結合するように構成されるレセプタクルコネクタに組み入れることができる。
【００４７】
信号接点４２４および電力接点４２６は、水平に延び、それは、それらの結合終端が、それらの実装終端と平行であるようなものである。同様に、コネクタハウジング４２２の結合終端は、実装終端にほぼ平行に適応される。したがって、接点４２４および４２６、および、コネクタ４２０は、それぞれ、垂直の接点、または垂直のコネクタ４２０と呼ぶことができる。電力接点４２６は、例えば米国特許６，３１９，０７５号に記述された方法で、それらの実装終端で電力ケーブル４２７に接続することができる。ケーブル４２７は、ケーブル３２７と同じケーブルになり得、それによって、電気的にコネクタ３２０および４２０を連結し、または、ケーブル４２７は、ケーブル３２７とは異なることができ、さらに任意の適切な電気装置に接続することができる。接点４２４および４２６の結合終端は、ヘッダコネクタ４２０と結合されるように構成される補完的なヘッダコネクタの結合終端を受けることができる。ハウジング４２２は、接点４２４および４２６の結合終端を囲んで、保護する覆い４２５をさらに有することができる。結合ヘッダコネクタは、ヘッダコネクタ２０、コネクタ２２０、または、電気コネクタ２０のフットプリント６８に関して記述されたようなフットプリントを有する、任意の適切な代りに構成されたヘッダコネクタに関して上述されたように構成することができる。
【００４８】
したがって、電気コネクタ２０のフットプリント６８に関して上述されたようなその実装インターフェースでフットプリントを画定する電気ヘッダ、またはレセプタクルコネクタは、代りに、ケーブルコネクタに接続するように構成することができることは、認識されるべきである。ケーブルコネクタ、および／または結合コネクタは、直角、または所望するような垂直または中二階のコネクタであることができる。
【００４９】
今度は図１１Ａ−１２を参照して、電気レセプタクルコネクタ５２０は、上述したヘッダコネクタ３２０のようなヘッダコネクタと結合するように構成される。コネクタ５２０は、明瞭さの目的のために、４００だけ増加したレセプタクルコネクタ１２０の同様の構造に対応する引用数字を有して例証される。コネクタ５２０は、電気コネクタ１２０に関して上述されたように構成されるが、整列／支持形状は、コネクタ５２０に結合されるべきである電気コネクタの補完的な構造を係合するように構成されたラッチ耳として提供される。例えば、ラッチ耳は、図９Ａに例証されたコネクタ３２０に関して上述されたタイプのラッチアームを係合することができる。
【００５０】
図１３Ａ−１３Ｃを参照して、さらには、上述されたように、上述した電気コネクタの信号および電力接点は、代りの実施例にしたがって構成することができる。例えば、ヘッダコネクタ６２０は、明瞭さの目的のために、６００だけ増加した同様の電気コネクタ２０の部品に対応する引用数字を有して例証される。例証されるように、電気コネクタ６２０は、代りに、または、付加的に、信号接点を有することができたが、コネクタハウジング６２２は、複数の電力接点６２６を有する複数の電気接点６２１を支持する。もし所望であれば、ハウジングは、代りに、専用のＡＣ電源接点および専用のＤＣ電力接点を有することができるが、電力接点６２６は、ＡＣ電力またはＤＣ力を伝送するように構成される。
【００５１】
図１３Ｄに示されるように、それぞれの電力接点６２６は、電力接点２６に関して上述したように構成することができるが、それぞれの電力接点６２６の実装端子６３６は、側壁６３８および６４０のうちの１つのみから下方に延びる１群のみの複数の実装端子を有する。例証された実施例において、電力接点６２６は、それぞれ、パネル６５４から下方に延びる複数の実装端子６５８を有し、それは、その配置は、所望するならば、実装端子がパネル６５４からではなくパネル６５２から下方に延びるように逆にすることができたが、パネル６５２が実装端子を欠いているようなものである。したがって、それぞれの電力接点６２６は、横方向に間隔を置いたパネル６５２および６５４の形をしている１対の間隔を有して配置された側壁であり、実装端子の単一行だけを画定する。他の方法で説明すると、それぞれの電力接点は、間隔をおいて配置された側壁よりも少数の列の実装端子を画定する。任意の数実装端子６５８も提供することができるが、電力接点６２６は、パネル６５４に沿って間隔をおいて配置された４つの実装端子６５８を有するように、例証される。認識されるべきことは、ここに記述されたコネクタのうちの任意の接点の、１つまたはそれ以上、すべてまでの実装終端が、コネクタ６２０に関して例証され、ここに記述したように構成することができることである。
【００５２】
代りの構成において、認識されるべきことは、電力接点６２６、および信号接点のような任意の他の接点も、１つまたはそれ以上の側壁を有し、ここに記述されるような１つまたはそれ以上の実装端子を画定する任意の数の側壁で構成することができることである。代りに、その接点は、ここに記述されるような実装端子を画定する個別ピン、または所望するような任意の代りの構造として提供することができる。
【００５３】
隣接する実装端子間の増加した距離が、動作中に、電流が、端子を交差してアークする機会を減少している一方で、他のタイプの接点が、提供された実装端子間の、または接点の長さに沿う他の位置での増加した距離から利益を得ることができることは認識されるべきである。したがって、信号接点の実装端子は、例えば、ここに記述されるように、別々に間隔をおいて配置することができる。実装尾部の間の増加した距離は、交互配置の端子構造にしたがってここに記述されているが、両方の側壁６３８および６４０から延びる実装端子６５８で構成される従来のコネクタに関して隣接する列の端子の間の距離を増加させるために実装端子６５８を交互に配置する必要がないことは、認識されるべきである。
【００５４】
例えば、図１４Ａは、電気コネクタ６２０が所望するよう任意の数の接点６２６を有することができるが、コネクタ６２０の底面図からの電気コネクタ６２０の４つの電力接点６２６Ａ−６２６Ｄの実装終端６３６によって画定されるフットプリント６６８の概要図を例証している。すべての端子６５８が、単一の列１に沿って配置され、さらに、そうでなければ他の側壁６３８によって画定されていたであろう第２の列が、接点を欠いていることを理解することができる。したがって、接点の隣接する列間の列ピッチＣＰは、側壁６４０から延びる端子に関して交互に配置されない側壁６３８から延びる端子を有する従来のコネクタに関して、側壁６３８と６４０との間の横方向距離ＬＤだけ増加される。この点では、端子を欠いている側壁６３８は、それらが相互からの隣接する接点の端子をさらに間隔をおいて配置するという点でスペーサ壁と呼ぶことができる。図１４Ａにおいて、隣接する接点６２６の端子６５８は、共通の横方向に延びる列１−４に沿って配置される。
【００５５】
コネクタ６２０が、上述したようなフットプリント６６８を画定することができる一方、認識されるべきことは、実装端子６５８は、例えば、電気コネクタ２０の第１および第２の複数の実装端子５６および５８に関して、さらに、上述した方法で縦方向に交互に配置することができることである。図１４Ｂは、隣接する電力接点６２６が、隣接する電力接点６２６の実装端子６５８に関して縦方向に交互に配置される複数の実装端子６５８を画定するときに、画定することができるフットプリント６６８’を例証する。
【００５６】
特に、第２の列（列２）が、図１４Ａに関して上述したような実装端子を欠いている一方、各電力接点６２６の実装端子６５８は、それぞれの接点の第１の列（列１）に配列される。したがって、実装端子６５８が、少なくとも１列であって、例えば、図１４Ｂに例証されるように列１を有するか、または、図３Ｂに関して上述したように列１と列２を有することができるものに配列されることは、説明したことである。与えられた電力接点６２６によって画定された端子６５８の各列１は、直ちに隣接する接点の直ちに隣接する列に沿って配置されたすべての隣接する端子に関して縦方向に偏倚される、選択した端子を有する。したがって、選択した実装端子は、直ちに隣接する接点の直ちに隣接する列に沿って配置された隣接する端子間で縦方向に配置されるべきであることが言い得る。隣接する列は、したがって、選択した実装端子と横方向の整列にある実装端子を欠いている。例えば、各電力接点６２６は、第１または上方端子６５８’、第２または下方端子６５８”、上方端子６５８’の下側に配置された第３端子６５８”’、および、第３端子６５８”’の下側で、かつ第２の端子６５８”の上方に配置された第４の端子６５８””を画定する。電力接点６２６Ａの下方の端子６５８”は、直ちに隣接する接点６２６Ｂの６５８”の列１の２つの最下方の端子６５８””間で長手方向に配置される。
【００５７】
端子は、接点６２６Ａのより下方の端子６５８が配置される間の１列に沿った接点６２６Ｂの端子６５８間に配置されないことは認識されるべきである。別の方法で述べれば、端子は、接点６２６Ｂの列１に沿って列６と８との間に配置されない。接点２６Ａのより下方の端子６５８”は、隣接する端子６５８””と６５８“との間で中間に長手方向に配置されるので、端子６５８は、二等辺三角形６７２を画定する。三角形６７２の頂点によって画定された角度は、端子の列ピッチＲＰに、および、列ピッチＣＰに依存することができる。１列の端子が、隣接するコネクタの隣接する列の端子間の中間で縦方向に配置されるように例証されている一方、端子は、所望するような任意の長手方向の距離だけ偏倚することができることは、認識されるべきである。
【００５８】
図１３Ａ−１３Ｄおよび１４Ｂに対する継続的な参照によって、第１の電気接点６２６Ａおよび第２の電気接点６２６Ｂは、それぞれ、結合終端およびその対向する複数の実装端子６５８を画定する。第１および第２の電気接点６２６Ａおよび６２６Ｂは、それぞれ、第１および第２の相互から横方向に間隔をおいて配置される長手方向に細長い側壁を画定し、それは、第１および第２の電気接点６２６Ａおよび６２６Ｂの実装端子６５８が、第２の側壁が、第２の電気接点の第１の側壁に隣接して配置されるようなものである。第１および第２の電気接点６２６Ａおよび６２６Ｂのそれぞれの第１および第２の側壁は、それぞれ、第１および第２の列に沿って延び、それは、第１および第２電気接点６２６Ａおよび６２６Ｂの実装端子６５８が、それぞれの第２の列ではなく第１の列１に配列されるようなものである。第１の電気接点６２６Ａの実装端子６５８は、第２の電気接点６２６Ｂの実装端子６５８に関して縦方向に交互に配置される。
【００５９】
第１の電気接点６２６（例えば、実装端子６５８”）の実装端子の選択した１つは、第２の電気接点６２６Ｂの１対の隣接する実装端子（例えば、実装端子６５８”および６５８””）の間でほぼ長手方向に中間に配置される。
【００６０】
したがって、隣接する接点６２６の端子６５８は、さらに端子６５８に関して離れて間隔をおいて配置することができる。少なくともコネクタ６２０に関して記述されるように構成されたとき、コネクタが保険業者研究所（ＵＬ）規格６０９５０にしたがうことができることは、認識されるべきである。
【００６１】
図に示される実施例の例証および議論は、代表的な目的用のみでなく、開示を制限して解釈されるべきでないことは注目されるべきである。技術に熟練している者は、現在の開示が様々な実施例を意図していることを認識する。もし他の方法で示されなかったならば、一実施例にしたがって記述され、例証された特徴と構造がここに記述されるようなすべての実施例に適用することができることは、さらに認識されるべきである。加えて、上記実施例で上述された概念が、単独で、または上述し他の実施例のうちのどれかと組合せて使用されてもよいことは理解されるに違いない。
【図１Ａ】
2013509690.tif 000003
【図１Ｂ】
2013509690.tif 000004
【図２Ａ】
2013509690.tif 000005
【図２Ｂ】
2013509690.tif 000006
【図３Ａ】
2013509690.tif 000007
【図３Ｂ】
2013509690.tif 000008
【図４Ａ】
2013509690.tif 000009
【図４Ｂ】
2013509690.tif 000010
【図５Ａ】
2013509690.tif 000011
【図５Ｂ】
2013509690.tif 000012
【図６】
2013509690.tif 000013
【図７Ａ】
2013509690.tif 000014
【図７Ｂ】
2013509690.tif 000015
【図８】
2013509690.tif 000016
【図９Ａ】
2013509690.tif 000017
【図９Ｂ】
2013509690.tif 000018
【図１０Ａ】
2013509690.tif 000019
【図１０Ｂ】
2013509690.tif 000020
【図１１Ａ】
2013509690.tif 000021
【図１１Ｂ】
2013509690.tif 000022
【図１２】
2013509690.tif 000023
【図１３Ａ】
2013509690.tif 000024
【図１３Ｂ】
2013509690.tif 000025
【図１３Ｃ】
2013509690.tif 000026
【図１３Ｄ】
2013509690.tif 000027
【図１４Ａ】
2013509690.tif 000028
【図１４Ｂ】
2013509690.tif 000029
【国際調査報告】
2013509690.tif 000030
2013509690.tif 000031